(57)【要約】【課題】簡易な組立で一体化可能な構成であって、かつ首の傾き加減の微調整が可能な人形の首関節構造を提供する。【解決手段】人形の頭部を人形の胴部に対して可動するように連結する人形の合成樹脂製の首関節であって、人形の胴部１側に対して水平方向の軸心を中心として前後方向に傾動可能に連結される第一部材６１と、前記第一部材６１と一体に構成され、鉛直方向の軸心を中心として左右方向に回動可能に連結される第二部材６７と、前記第二部材６７と一体に構成され、水平方向の軸心を中心として前後方向に傾動可能な第三部材７３と、で構成されている。【選択図】図４
2018117706.tif 000002
【特許請求の範囲】
【請求項１】
人形の頭部を人形の胴部に対して可動するように連結する人形の合成樹脂製の首関節であって、
人形の胴部側に対して水平方向の軸心を中心として前後方向に傾動可能に連結される第一部材と、
前記第一部材と一体に構成され、鉛直方向の軸心を中心として左右方向に回動可能に連結される第二部材と、
前記第二部材と一体に構成され、水平方向の軸心を中心として前後方向に傾動可能な第三部材と、で構成されていることを特徴とする人形の首関節構造。
【請求項２】
前記第一部材は、胴部側に立設された支持片に軸着される平板状の軸着片と、前記軸着片の上端にて一体に構成される円筒状で、かつ側面の一部に嵌め込み口を設けてなる嵌合部とを含み、
前記第二部材は、最大径部が前記嵌め込み口よりも僅かに大径に形成され、前記嵌め込み口を拡開させて前記嵌合部内に摺動可能に嵌め込まれる円板状の嵌合摺動部と、前記嵌合摺動部よりも小径で、前記嵌合摺動部の上面略中心から一体に立ち上げられる棒状部と、を含み、
前記第三部材は、上端に頭部連結部を備え、前記第二部材の棒状部上方にて前後方向に回動可能に一体に構成された前後傾動部と、を含むことを特徴とする請求項１に記載の人形の首関節構造。
【請求項３】
胴部側には、前記軸着片の所定角度以上の傾動を抑止する抑止部を備えてなることを特徴とする請求項２に記載の人形の首関節構造。
【発明の詳細な説明】
【技術分野】
【０００１】
本発明は、関節部位で可動する、いわゆる可動人形の胴部と頭部とを連結する首関節構造に関する。
【背景技術】
【０００２】
首、膝、肘、股などの所定の関節部位で可動する可動人形が、性別や年齢を問わず広く需要者に受け入れられており、特に、首の傾き加減の微調整が図り得るか否かにあってはこの種の関節構造を有している可動人形の愛好者にとっては商品選択要件の一つとして大変重要である。
人形の頭部と胴部を連結する首連結構造にあっては、例えば特許文献１に開示の構造が提案されている。
【０００３】
特許文献１に開示の首関節構造は、上端側が頭部側と連結される上方側関節部と、下端側が胴部側と連結される下方側関節部と、これら上方側関節部の下端側と下方側関節部の上端側をそれぞれ摺動可能に連結する上下の軸受部を備えた筒状の首部と、からなる。
前記上下の軸受部に連結される上方側関節部の下端と、前記下方側関節部の上端には、それぞれ球状の連結部が備えられており、前記上下の軸受部は、前記球状の連結部が摺動可能な球状内面を有する空間をもって形成されている。
【０００４】
前記首部は、二分割構成であるとともに、上方側関節部の球状の連結部と、下方側関節部の球状の連結部とをそれぞれの軸受部に収納連結した後に、複数個のネジ等の固着具を介して一体化させる必要があった。
しかし、二分割されている首部の組み合わせが上下で逆になったりすると組み立てることができなかったり、複数個のネジ等の固着具を介して一体に組み立てる作業が面倒かつ煩雑であった。
【先行技術文献】
【特許文献】
【０００５】
【特許文献１】特開２０００−１４０４４８号公報
【発明の概要】
【発明が解決しようとする課題】
【０００６】
本発明は、従来技術の有するこのような課題を解決するためになされたものであって、その目的とするところは、簡易な組立で一体化可能な構成であって、かつ首の傾き加減の微調整が可能な人形の首関節構造を提供することにある。
【課題を解決するための手段】
【０００７】
上記課題を達成するために、第１の本発明がなした技術的手段は、人形の頭部を人形の胴部に対して可動するように連結する人形の合成樹脂製の首関節であって、
人形の胴部側に対して水平方向の軸心を中心として前後方向に傾動可能に連結される第一部材と、
前記第一部材と一体に構成され、鉛直方向の軸心を中心として左右方向に回動可能に連結される第二部材と、
前記第二部材と一体に構成され、水平方向の軸心を中心として前後方向に傾動可能な第三部材と、で構成されていることを特徴とする人形の首関節構造としたことである。
【０００８】
第２の本発明は、第１の本発明において、前記第一部材は、胴部側に立設された支持片に軸着される平板状の軸着片と、前記軸着片の上端にて一体に構成される円筒状で、かつ側面の一部に嵌め込み口を設けてなる嵌合部とを含み、
前記第二部材は、最大径部が前記嵌め込み口よりも僅かに大径に形成され、前記嵌め込み口を拡開させて前記嵌合部内に摺動可能に嵌め込まれる円板状の嵌合摺動部と、前記嵌合摺動部よりも小径で、前記嵌合摺動部の上面略中心から一体に立ち上げられる棒状部と、を含み、
前記第三部材は、上端に頭部連結部を備え、前記第二部材の棒状部上方にて前後方向に回動可能に一体に構成された前後傾動部と、を含むことを特徴とする人形の首関節構造としたことである。
【０００９】
第３の本発明は、第２の本発明において、胴部側には、前記軸着片の所定角度以上の傾動を抑止する抑止部を備えてなることを特徴とする人形の首関節構造としたことである。
【発明の効果】
【００１０】
本発明によれば、簡易な組立で一体化可能な構成であって、かつ首の傾き加減の微調整が可能な人形の首関節構造を提供することができた。
【図面の簡単な説明】
【００１１】
【図１】本発明の首関節構造を備えた人形の概略全体正面図である。
【図２】図１に示す人形の上胴外皮を取り外すと共に、頭部を仮想線にて示す概略全体正面図である。
【図３】上胴外皮内に内装される胴部骨格と本実施形態の首関節構造の連結状態を示す概略正面図である。
【図４】胸骨格に本実施形態の首関節構造を備えた概略斜視図である。
【図５】本実施形態の首関節構造と胸骨格との分解斜視図である。
【図６】本実施形態の首関節構造を示し、（ａ）は概略正面図、（ｂ）は概略側面図である。
【図７】本実施形態の首関節構造を示し、（ａ）は第三部材の前後傾動部を回動させて頭部を前傾させた状態、（ｂ）は第三部材の前後傾動部を回動させて頭部を後傾させた状態である。
【図８】本実施形態の首関節構造を示し、（ａ）は図７（ａ）の状態から第一部材を回動させて頭部をさらに前傾させた状態、（ｂ）は図７（ｂ）の状態から第一部材を回動させて頭部をさらに後傾させた状態、（ｃ）は（ａ）の状態からさらに第一部材を回動させて頭部を前傾し、第一抑止部に第一部材の軸着片が当接した状態を部分的に示す図である。
【図９】本実施形態の首関節構造を示し、（ａ）は第二部材を９０度回動させ、第三部材の前後傾動部を横方向に９０度回動させて頭部を向かって左方向に傾斜させた状態、（ｂ）は第二部材を９０度回動させ、第三部材の前後傾動部を横方向に９０度回動させて頭部を向かって右方向に傾斜させた状態である。
【発明を実施するための形態】
【００１２】
以下、本発明の一実施の形態に係る人形について、添付図面に基づいて説明する。なお、本実施形態は本発明の一実施形態にすぎず、何等これらに限定して解釈されるものではなく、本発明の範囲内で設計可能である。
本実施形態では、胴部１と、胴部１に着脱可能に連結される左右の腕部３と、胴部に着脱可能に連結される左右の脚部と、胴部に着脱可能に連結される頭部を備えてなる、いわゆる人形素体と称されるものを本発明の一実施形態として説明する。
【００１３】
［定義］
本発明において、「人形」とは、胴部と脚部と腕部３と頭部を備えた人形全般に限らず、頭部を備えていない所謂人形用素体といわれるものをも含む概念とする。また、少なくとも脚部や腕部３などの所要箇所が可動する人形であれば全てが対象とされる。例えば人間の男性・女性を模写した人形に限らず、動物や空想上の生物若しくはロボットなどを模写した人形であってもよい。
「胴部（胴体）」とは、一般的には人形の腕部と脚部と頭部を除いた部分とされるが、胴部は頭部を備える概念としてもよい。
「脚部」とは、足部、脛部、膝部、太腿部の付根部（腰部の股間位置と連結される部分）あたりまでをいい、「大腿部」とは、付根部から膝上あたりまでをいい、「脛部」とは、膝下あたりから足首あたりまでをいい、「膝部」とは、大腿部と脛部とを連結する部分をいい、「足部」とは足首から先端（指先）までをいうものとする。
「腕部」とは、胴部に連結される上腕と、上腕と肘部を介して屈曲可能に連結する下腕と、下腕に連結する手部とからなり、「上腕」とは、腕部付根位置（肩位置との連結部）あたりから肘上あたりまでをいい、「下腕」とは、肘下あたりから手首あたりまでをいい、「手部」とは手首あたりから先端（指先）までをいうものとする。
【００１４】
［第一実施形態］
図１及び図２は、本発明人形の一実施形態の全体概要を示し、図１は正面側から見た概略正面図で、図２は、頭部と、胴部を構成する上胴外皮と下胴外皮を取り外した状態の概略正面図である。
【００１５】
本実施形態で図示した人形は、胴部１と、胴部１に首関節構造５９を介して連結される頭部７と、胴部１に連結される左右の脚部５と、胴部１に連結される左右の腕部３とを含んで構成されている、いわゆる人形用素体と称される人形を一実施形態として採用している。また、本実施形態では、女性の裸体を忠実に模写した外観形態を有している。
【００１６】
胴部１は、頭部７と、左右の脚部５と、左右の腕部３とを除いた部分の全てを言うものとし、本実施形態では胸部９を含む上胴１１と、上胴１１よりも下位の部分で腹部１３と腰部１５を含む下胴１７との二分割構成で形成されている。
【００１７】
胴部１は、上胴１１を構成する上胴外皮１９と、下胴１７を構成する下胴外皮２１と、前記上胴外皮１９と下胴外皮２１によって覆われる硬質合成樹脂製の胴部骨格２３とで構成されている。
【００１８】
上胴外皮１９と下胴外皮２１は、それぞれソフトビニル樹脂にて、人間の女性裸体の外観形態を忠実に模写した中空体に形成されている。
なお、上胴外皮１９と下胴外皮２１のそれぞれの外観形態は任意であって特に限定解釈されるものではなく本発明の範囲内で設計変更可能である。
【００１９】
なお、本実施形態の胴部１は、上述のとおり、胸部９を含む上胴１１と、上胴１１よりも下位の部分で腰部１５を含む下胴１７との二分割構成としたが、胸部と腹部を一体として上胴を構成し、下胴が腰部のみである二分割構成とすることも可能で、二分割する位置は胴部の長さ方向で任意に設計変更可能である。
また、下胴を腹部と腰部とにさらに分割した三分割構成とする胴部であっても本発明の範囲内である。さらに、全く分割しない胴部（一体の胴部外皮）であっても本発明の範囲内である。
また、本実施形態の胴部１は、ソフトビニル製の外皮（上胴外皮１９、下胴外皮２１）と硬質合成樹脂製の胴部骨格２３とで構成しているが、外皮が硬質合成樹脂製であっても本発明の範囲内である。さらに、硬質合成樹脂製で中実体（無垢）に形成された一体若しくは複数分割の胴部を採用することも可能で本発明の範囲内である。なお、硬質合成樹脂製で中実体（無垢）に形成された胴部の場合、骨格は備えていなくてもよい。
【００２０】
本実施形態では、上胴外皮１９と下胴外皮２１内に収容される胴部骨格２３を有している。胴部骨格２３は、胸骨格２５と腹骨格５１と腰骨格８３とからなる。
【００２１】
胸骨格２５は、前部材２７と、後部材４３と、前部材２７と後部材４３とで挟持され、前部材２７と後部材４３とを直交する軸を中心として回動可能に備えられる左右の腕連結部４５と、首関節構造５９を構成する軸着片６３を軸支可能な一対の支持片４７と、で構成されている。
【００２２】
前部材２７は、正面視で、下辺２９ａよりも上辺２９ｂのほうが長い台形状を有している第一面部２９と、第一面部２９の上辺２９ｂから後方に向けて昇り傾斜状に形成された正面視横長矩形状の第二面部３１と、第二面部３１の上辺３１ａから後方に向けて水平方向に突設される細幅矩形状の上面部３３と、第一面部２９の下辺２９ａから後方に向けて水平方向に突設され、その後辺３５ａが上面部３３の後辺３３ａと同一位置にくるような矩形状に形成される底面部３５と、上面部３３と底面部３５とにわたって鉛直方向に架け渡されている背面部３７と、第一面部２９、第二面部３１、上面部３３及び底面部３５のそれぞれの側辺によって囲まれた領域を覆うように一体成形されてなる左右の側面部３９と、で所定厚みを有する中実状に形成されている。
【００２３】
背面部３７には、左右の腕連結部４５のそれぞれの第一突部４５ａを回動可能に嵌合する二つの嵌合孔部３７ａが上端寄りに形成され、下端寄りには、前部材２７と後部材４３との間に架け渡されるスペーサ８１の一端を嵌合する二つの嵌合孔部３７ｂが形成されている。
スペーサ８１は、本実施形態ではネジ４１により固定される円筒状に形成されているが、特に本実施形態に限定解釈されるものではなく本発明の範囲内で設計変更可能である。
【００２４】
また、底面部３５には、腹骨格５１の第三骨格５７の嵌合突部５７ａが差し込み嵌合される嵌合孔部３５ｂが形成されている。
【００２５】
後部材４３は、平板状に形成されるとともに、上端寄りには腕連結部４５の第二突部４５ｄを回動可能に嵌合する二つの嵌合孔部４３ａが形成され、下端寄りには前部材２７と後部材４３との間に架け渡されるスペーサ８１の他端を嵌合する二つの嵌合孔部４３ｂが形成されている。
また、後部材４３の前面略中央領域には、前部材２７の背面部３７に当接する縦長板状のリブ４３ｃが突設されている。
そして、本実施形態では、リブ４３ｃの上端に平板状の底面４７ｄを介して左右方向に所定の間隔をあけて一対の支持片４７が突設されている。
【００２６】
腕連結部４５は、腕部３の連結軸（図示省略）を差し込み嵌合可能な嵌合孔部４５ｂを有する横向き円筒状に本体４５ａが形成され、本体４５ａの周面の前後方向同軸位置には、嵌合孔部４５ｂに直交するように第一突部４５ｃと第二突部４５ｄとが突設されている。第一突部４５ｃと第二突部４５ｄとが前部材２７の嵌合孔部３７ａと後部材４３の嵌合孔部４３ａとにそれぞれ回動可能に嵌合することにより、腕連結部４５は、第一突部４５ｃと第二突部４５ｄの回動軸を中心として上下方向に回動可能に配設される。
【００２７】
一対の支持片４７は、それぞれ上端を湾曲させた平板状に形成するとともに、同軸上にそれぞれ軸孔４７ａが形成されている。そして、これら軸孔４７ａと第一部材６１の軸着片６３の軸孔６３ａとを連通させるとともに、軸４９を通して第一部材６１を前後傾動可能に軸着する。
【００２８】
腹骨格５１は、それぞれが鉛直方向で可動自在に連結される第一骨格５３と第二骨格５５と第三骨格５７とで構成されている。
【００２９】
第一骨格５３は、腰骨格８３の上端に開口して設けられている嵌合穴（図示省略）に、鉛直方向軸心を中心に左右方向に回動可能に差し込み嵌合される嵌合突部５３ａと、嵌合突部５３ａの上端に一体成形され、第二骨格５５の下方駒部５５ｄと水平方向軸心を中心に上下方向に回動可能に連結される二股状の連結部５３ｂと、で構成されている。
【００３０】
第二骨格５５は、上端と下端にそれぞれ二股状に形成された上端支持部５５ａと下端支持部５５ｂに軸支されて水平方向軸心を中心にそれぞれ上下方向に回動可能に備えられる上方駒部５５ｃと下方駒部５５ｄとを備えている。
【００３１】
第三骨格５７は、第二骨格５５の上方駒部５５ｃと水平方向軸心を中心に上下方向に回動可能に連結される二股状の連結部５７ｂと、この連結部２７ｂの上端から鉛直方向で上方に向けて一体成形され、胸骨格２５（前部材２７）の底面部３５の嵌合孔部３５ｂに差し込み嵌合される嵌合突部５７ａと、で構成されている。
【００３２】
従って、本実施形態では、上述の通りの胴部骨格２３を有しているため、第一骨格５３の嵌合突部５３ａと腰骨格８３の嵌合孔部（図示省略）との間で鉛直方向の軸心を中心として左右方向に回動することができる。また、第一骨格５３の連結部５３ｂと、第二骨格５５の下方駒部５５ｄとの間で上下方向と左右方向に回動することができる。また、第三骨格５７の連結部５７ｂと、第二骨格５５の上方駒部５５ｃとの間で上下方向と左右方向に回動することができる。そして、第三骨格５７の嵌合突部５７ａと胸骨格２５（前部材２７）の底面部３５の嵌合孔部３５ｂとの間で鉛直方向の軸心を中心として左右方向に回動することができる。
【００３３】
本発明は、このような人形において、胴部１に対して頭部が可動するように連結する人形の合成樹脂製の首関節構造５９を有することが特徴であって、以下、この首関節構造５９について説明する。
【００３４】
首関節構造５９は、人形の胴部１側に対して水平方向の軸心を中心として前後方向に傾動可能に連結される第一部材６１と、前記第一部材６１と一体に構成され、鉛直方向の軸心を中心として左右方向に回動可能に連結される第二部材６７と、前記第二部材６７と一体に構成され、水平方向の軸心を中心として前後方向に傾動可能な第三部材７３と、で構成されている。
【００３５】
第一部材６１は、胴部１側に立設された支持片４７に軸着される平板状の軸着片６３と、前記軸着片６３の上端にて一体に構成される円筒状で、かつ側面の一部に嵌め込み口６５ｃを設けてなる嵌合部６５とを含んで構成されている。
【００３６】
軸着片６３は、本実施形態では、先端を湾曲に形成した平板状に形成し、その上端に嵌合部６５を一体成形している。言い換えると、軸着片６３は、嵌合部６５の底面６５ａの略中央領域から下方に向けて突状に一体成形されている。軸着片６３の所定位置には支持片４７の軸孔４７ａと連通して同軸に軸４９が配される軸孔６３ａが形成されている。軸４９は、一対の支持片４７と軸着片６３とにわたって差し込み可能な長さを有するとともに、支持片４７の軸孔４７ａと軸着片６３の軸孔６３ａにわたって緊密に差し込み嵌合可能な合成樹脂製の円柱棒状に形成されている。
【００３７】
嵌合部６５は、円筒状に形成するとともに、底面６５ａ寄りの内部に、第二部材６７の嵌合摺動部６９を収容可能な第一収容部６５ｂと、第一収容部６５ｂと連通して周面の所定位置にて、前記嵌合摺動部６９の最大径部Ｒ１よりも僅かに小径に切り欠き形成した嵌め込み口６５ｃと、第一収容部６５ｂと連通して鉛直方向で上方に向けて中空状に形成するとともに上端にて開口し、第二部材６７の棒状部７１が鉛直方向の軸心を中心として回動可能に収容される第二収容部６５ｄとで構成されている。第二収容部６５ｄは、嵌め込み口６５ｃと連通して周面を上端に向けて切り欠き形成した棒状部挿入部６５ｅを有している。
【００３８】
第二部材６７は、最大径部Ｒ１が前記嵌め込み口６５ｃよりも僅かに大径に形成され、前記嵌め込み口６５ｃを拡開させて前記嵌合部６５の第一収容部６５ｂ内に摺動可能に嵌め込まれる円板状の嵌合摺動部６９と、前記嵌合摺動部６９よりも小径で、前記嵌合摺動部６９の上面略中心から一体に立ち上げられる棒状部７１と、を含んで構成されている。棒状部７１は、第一部材６１を構成している嵌合部６５の第二収容部６５ｄ内に収容可能な長さを有している。
嵌合摺動部６９は、第一収容部６５ｂの内径よりも僅かに小径、あるいは略同径に形成されている。
従って、第二部材６７の嵌合摺動部６９を第一部材６１の嵌め込み口６５ｃから嵌合部６５内の第一収容部６５ｂへと収容して一体化させるとき、嵌合摺動部６９が嵌め込み口６５ｃを僅かに拡開させて嵌合させることができるため、回動可能に一体化させることが容易である。これにより、第二部材６７は、第一部材６１の嵌合部内にて鉛直方向の軸心を中心として左右方向に回動可能に一体化される。
【００３９】
第三部材７３は、上端に頭部連結部７７を備え、前記第二部材６７の棒状部７１上方にて前後方向に回動可能に一体に構成された前後傾動部７５と、を含んで構成されている。
前後傾動部７５は、本実施形態では、第二部材６７を構成する棒状部７１の上端に一体に形成されている第一半球部７５ａと、第三部材７３を構成する頭部連結部７７の下端に一体に形成されている半球状の第二半球部７５ｂとを軸着して球状に構成されている（図５２乃至図６参照。）。
頭部連結部７７は、第二半球部７５ｂの上端にて、第二半球部７５ｂよりも水平方向で突出するフランジ状に係止部７７ａが備えられている。この係止部７７ａを、頭部７の下端に設けられている係止孔部（図示省略）の弾性に抗して押し広げて頭部７内に挿入し、係止部７７ａによって係止孔部に係止される。
【００４０】
本実施形態では、第二半球部７５ｂの内面（対向面）の略中央から水平方向に連結軸７５ｃが突設されており、他方、第一半球部の内面（対向面）の略中央位置には、前記連結軸７５ｃを差し込み嵌合可能な連結孔部７５ｄが形成されている。連結孔部７５ｄは、第一半球部７５ａの外周面に貫通して設けられている。
本実施形態によれば、連結軸７５ｃによって第一半球部７５ａと第二半球部７５ｂとが、その連結軸７５ｃを中心として前後方向に相対回転可能に構成される。
連結軸７５ｃは、連結孔部７５ｄ全域にわたって差し込み可能な長さを有するとともに、連結孔部７５ｄ内に緊密に差し込み嵌合可能な合成樹脂製の円柱棒状に形成されている。
【００４１】
本実施形態によれば、このように首関節構造５９を構成したため、本実施形態の首関節構造５９を備えた人形は、例えば次のように頭部を可動させることができる。
【００４２】
まず、図６は第一部材６１乃至第三部材７３のいずれも動作させていない状態を示している。すなわち、第一部材６１乃至第三部材７３は鉛直方向で同軸に並んでおり、そして頭部７は顔正面を前方に向けている状態である。
そして、図６の状態から、例えば、第三部材７３の前後傾斜部７５を、連結軸７５ｃを軸心として前方に回動させると、頭部７が前方に少しうつむいた状態を表現することができる（図７（ａ）。）。あるいは、連結軸７５ｃを軸心として後方に回動させると、頭部７が少し後方に傾いて上を見上げている状態を表現することができる（図７（ｂ）。）。
次に、図７の状態から、例えば、第一部材６１の軸着片６３を、軸４９を中心として前方に回動させると、頭部７がさらに前方にうつむいた状態を表現することができる（図８（ａ）。）。あるいは、軸４９を軸心として後方に回動させると、頭部７がさらに後方に傾いて上を見上げている状態（寝ている状態）を表現することができる（図８（ｂ）。）。
さらに、図６の状態から第二部材６７を９０度回動させ、第三部材７３の前後傾動部７５を横方向（向かって左方向）に９０度回動させれば、頭部７を向かって左方向に傾動させることができる（図９（ａ）参照。）また、第二部材６７を９０度回動させ、第三部材７３の前後傾動部７５を横方向（向かって右方向）に９０度回動させれば、頭部７を向かって右方向に傾動させることができる（図９（ｂ）参照。）。
【００４３】
このように本実施形態によれば、第一部材６１による前後方向への回動と、第二部材６７による左右方向への回動と、及び第三部材７３による前後方向への回動と、を任意に組み合わせて動作させることにより、様々な首の傾き動作を得ることができるため、首の傾き下限の微調整を図れ、需要者の興趣の向上が図れる。
【００４４】
また、本実施形態において、胴部骨格２３には、首関節構造５９の第一部材６１の所定角度以上の前後傾動を抑止する抑止部７９を備えている。所定角度以上の傾動作動によって、軸に負荷が掛かり過ぎ、軸の破損を招かないようにしている。
【００４５】
抑止部７９は、前方への所定角度以上の傾動を抑止する第一抑止部７９ａと、後方への所定角度以上の傾動を抑止する第二抑止部７９ｂと、をそれぞれ備えている。
【００４６】
第一抑止部７９ａは、胸骨格２５の前部材２７を構成する上面部３３に備えられている。第一抑止部７９ａは、上面部３３の略中央位置にて、第二面部３１側から背面部３７側にわたって断面視で半円形状の凸条に突設されている。
頭部７を前方に傾動させる際に、所定角度以上に傾動させると、この第一抑止部７９ａに第一部材６１の軸着片６３が当接するように構成した（図８（ｃ）参照）ため、必要以上の前方への頭部７の傾動を抑えることができる（図８（ａ）の状態を越えた傾動を抑制する。）。
【００４７】
第二抑止部７９ｂは、胸骨格２５の後部材４３の上端４３ｄを、一対の支持片４７間に存する底面４７ｄの位置よりも鉛直方向で高く設定することにより、第一部材６１の軸着片６３が所定角度以上後方に傾動した際に、軸着片６３がこの上端４３ｄ領域に当接してそれ以上の傾動を抑えることができるため、この上端４３ｄ領域が第二抑止部７９ｂとして機能する。
なお、少なくとも底面４７ｄに対向する上端４３ｄ領域のみを高く設定しているものであればよい。
頭部７を後方に傾動させる際に、この第二抑止部７９ｂに第一部材６１の軸着片６３が当接するように構成したため、必要以上の前方への頭部７の傾動を抑えることができる（図８（ｂ）の状態を越えた傾動を抑制する。）。
【産業上の利用可能性】
【００４８】
本発明は、前後方向や左右方向に首を可動させることができる首関節構造を備えた全ての可動人形に利用可能である。
【符号の説明】
【００４９】
１  胴部
７  頭部
４７  支持片
６１  第一部材
６３  軸着片
６５  嵌合部
６５ｃ  嵌め込み口
６７  第二部材
Ｒ１  最大径部
６９  嵌合摺動部
７１  棒状部
７３  第三部材
７５  前後傾動部
７７  頭部連結部
７９  抑止部
７９ａ  第一抑止部
７９ｂ  第二抑止部
【図１】
2018117706.tif 000003
【図２】
2018117706.tif 000004
【図３】
2018117706.tif 000005
【図４】
2018117706.tif 000006
【図５】
2018117706.tif 000007
【図６】
2018117706.tif 000008
【図７】
2018117706.tif 000009
【図８】
2018117706.tif 000010
【図９】
2018117706.tif 000011